(57)【要約】【課題】レンズ鏡筒の縮筒動作を行う際のユーザビリティを向上させた撮像装置を提供する。【解決手段】撮像装置は、鏡筒の光軸方向の長さを、鏡筒内の光学系の配置が撮影可能な状態となる第１の長さから、第１の長さに対して長さを短縮した第２の長さにする縮筒動作を行う鏡筒部と、鏡筒部の縮筒動作を駆動する駆動部と、縮筒動作の駆動の開始を指示する操作が可能な操作部と、鏡筒部を介して入射された被写体光束を露光して撮影処理を行う撮像部と、撮像部を制御するとともに、操作部が操作されたことを検出した場合に駆動部を制御する制御部と、を備え、制御部は、記録のための露光処理を含む撮影処理中の期間に操作部が操作されたことを検出した場合に、当該露光処理および縮筒動作のうちの何れの制御を優先させるかを示す制御情報を報知する。【選択図】図１
2013120214.tif 000002
【特許請求の範囲】
【請求項１】
鏡筒の光軸方向の長さを、前記鏡筒内の光学系の配置が撮影可能な状態となる第１の長さから、前記第１の長さに対して長さを短縮した第２の長さにする縮筒動作を行う鏡筒部と、
前記鏡筒部の前記縮筒動作を駆動する駆動部と、
前記縮筒動作の駆動の開始を指示する操作が可能な操作部と、
前記鏡筒部を介して入射された被写体光束を露光して撮影処理を行う撮像部と、
前記撮像部を制御するとともに、前記操作部が操作されたことを検出した場合に前記駆動部を制御する制御部と、
を備え、
前記制御部は、
記録のための露光処理を含む撮影処理中の期間に前記操作部が操作されたことを検出した場合に、当該露光処理および前記縮筒動作のうちの何れの制御を優先させるかを示す制御情報を報知する
ことを特徴とする撮像装置。
【請求項２】
前記制御部は、
前記記録のための露光処理を含む撮影処理中の期間に前記操作部が操作されたことを検出した場合に、
前記駆動部に対する前記縮筒動作の処理の実行開始を保留して、当該処理を保留したことを示す情報を前記制御情報として報知するとともに、前記記録のための露光処理が完了した後に、前記保留していた前記縮筒動作の処理を前記駆動部に実行開始させる第１の制御を実行する
ことを特徴とする請求項１に記載の撮像装置。
【請求項３】
前記制御部は、
前記記録のための露光処理を含む撮影処理中の期間に前記操作部が操作されたことを検出した場合に、前記記録のための露光処理を当該処理が完了したか否かにかかわらず終了させて、当該処理を終了させたことを示す情報を前記制御情報として報知するとともに、前記縮筒動作の処理を実行開始させる第２の制御を実行する
ことを特徴とすることを特徴とする請求項２に記載の撮像装置。
【請求項４】
前記制御部は、
前記第１の制御および前記第２の制御のうち、設定された何れかの制御を実行する
ことを特徴とする請求項３に記載の撮像装置。
【請求項５】
前記制御部は、
前記第１の制御および前記第２の制御のうち、操作者により選択された何れかの制御を実行する
ことを特徴とする請求項３または４に記載の撮像装置。
【請求項６】
静止画を記録する静止画撮影処理、および動画を記録する動画撮影処理のそれぞれの処理は、前記記録のための露光処理を含み、
前記制御部は、
前記静止画撮影処理の場合、前記第１の制御を実行し、
前記動画撮影処理の場合、前記第１の制御および前記第２の制御のうちの何れかの制御を実行する
ことを特徴とする請求項３から５の何れか一項に記載の撮像装置。
【請求項７】
前記鏡筒部を有する交換レンズと、
前記交換レンズを着脱可能なカメラボディと、
前記カメラボディに装着された前記交換レンズの装着状態を保持する保持機構部と、
前記保持機構部により前記装着状態が保持されている保持状態を、操作者の操作に応じて解除する解除機構部と、
を備え、
前記制御部は、
前記記録のための露光処理を含む撮影処理中の期間に前記解除機構部が操作されたことを検出した場合に、前記保持状態の解除を抑止するとともに、前記縮筒動作の処理の実行開始を保留して前記記録のための露光処理を継続する第３の制御を実行する
ことを特徴とする請求項１から６の何れか一項に記載の撮像装置。
【請求項８】
前記制御部は、
前記保持状態の解除を抑止したことを示す情報、および前記縮筒動作の処理の実行開始を保留したことを示す情報のうち少なくとも一方を前記制御情報として報知する
ことを特徴とする請求項７に記載の撮像装置。
【請求項９】
前記制御部は、
前記記録のための露光処理が完了した後に、前記保留していた前記縮筒動作の処理を実行開始させるとともに、前記縮筒動作の処理が完了した後に、前記保持状態を解除する
ことを特徴とする請求項７または８に記載の撮像装置。
【請求項１０】
前記制御部は、
前記記録のための露光処理を含む撮影処理中の期間に前記解除機構部が操作されたことを検出した場合に、前記保持状態の解除を抑止するとともに、前記記録のための露光処理を当該処理が完了したか否かにかかわらず終了させる第４の制御を実行する
ことを特徴とする請求項７から９の何れか一項に記載の撮像装置。
【請求項１１】
前記制御部は、
前記保持状態の解除を抑止したことを示す情報、および前記露光処理を終了させたことを示す情報のうち少なくとも一方を前記制御情報として報知する
ことを特徴とする請求項１０に記載の撮像装置。
【請求項１２】
前記制御部は、
前記保持状態の解除を抑止した後に、前記縮筒動作の処理を実行開始させるとともに、前記縮筒動作の処理が完了した後に、前記保持状態を解除する
ことを特徴とする請求項１０または１１に記載の撮像装置。
【請求項１３】
前記制御部は、
前記第３の制御および前記第４の制御のうち、設定された何れかの制御を実行する
ことを特徴とする請求項１０から１２の何れか一項に記載の撮像装置。
【請求項１４】
前記制御部は、
前記第３の制御および前記第４の制御のうち、操作者により選択された何れかの制御を実行する
ことを特徴とする請求項１０から１３の何れか一項に記載の撮像装置。
【請求項１５】
静止画を記録する静止画撮影処理、および動画を記録する動画撮影処理のそれぞれの処理は、前記記録のための露光処理を含み、
前記制御部は、
前記静止画撮影処理の場合、前記第３の制御を実行し、
前記動画撮影処理の場合、前記第３の制御および前記第４の制御のうちの何れかの制御を実行する
ことを特徴とする請求項１０から１４の何れか一項に記載の撮像装置。
【請求項１６】
前記保持機構部により前記装着状態が保持されている前記保持状態を前記解除機構部により解除できないように抑止する抑止機構部、
を備え
前記制御部は、
前記抑止機構部を制御することにより、前記解除機構部により前記保持状態を解除できないように制御する
ことを特徴とする請求項７から１５の何れか一項に記載の撮像装置。
【請求項１７】
情報を表示する表示部、および情報を音により出力する音出力部のうちの少なくとも一方を有する報知部、
を備え、
前記制御部は、
前記報知部を制御することにより、前記制御情報を報知する
ことを特徴とする請求項１から１６の何れか一項に記載の撮像装置。
【請求項１８】
鏡筒の光軸方向の長さを、前記鏡筒内の光学系の配置が撮影可能な状態となる第１の長さから、前記第１の長さに対して長さを短縮した第２の長さにする縮筒動作を行う鏡筒部を有する撮像装置が備える制御部の動作を制御するプログラムであって、
撮像部に、前記鏡筒部を介して入射された被写体光束を露光して撮影処理を実行させるととともに、操作部から前記縮筒動作の駆動の開始を指示する操作がされたことを検出した場合に前記鏡筒部の前記縮筒動作を駆動する駆動部を制御する制御ステップ、
を含み、
前記制御ステップにおいては、記録のための露光処理を含む撮影処理中の期間に前記操作部が操作されたことを検出した場合に、当該露光処理および前記縮筒動作のうちの何れの制御を優先させるかを示す制御情報を報知する
ことを特徴とするプログラム。
【請求項１９】
鏡筒の光軸方向の長さを、前記鏡筒内の光学系の配置が撮影可能な状態となる第１の長さから、前記第１の長さに対して長さを短縮した第２の長さにする縮筒動作を行う鏡筒部と、前記鏡筒部の前記縮筒動作を駆動する駆動部と、前記縮筒動作の駆動の開始を指示する操作が可能な操作部と、を有する交換レンズを着脱可能なカメラボディであって、
前記交換レンズの前記鏡筒部を介して入射された被写体光束を露光して撮影処理を行う撮像部と、
前記撮像部を制御するとともに、前記操作部が操作されたことを検出した場合に前記駆動部を制御する制御部と、
を備え、
前記制御部は、
記録のための露光処理を含む撮影処理中の期間に前記操作部が操作されたことを検出した場合に、当該露光処理および前記縮筒動作のうちの何れの制御を優先させるかを示す制御情報を報知する
ことを特徴とするカメラボディ。
【発明の詳細な説明】
【技術分野】
【０００１】
本発明は、撮像装置、プログラム、およびカメラボディに関する。
【背景技術】
【０００２】
撮影時には撮影可能な位置にレンズを繰り出してレンズ鏡筒を伸筒させる伸筒動作を行い、非撮影時にはレンズを収納位置に沈胴してレンズ鏡筒を縮筒させる縮筒動作を行う撮像装置がある。
このような撮像装置においては、電源オフ等のような縮筒動作を含む処理の指示が撮影処理中にあった場合、撮影処理が完了するまで当該指示を受け付けないものがある。これに対して、撮影処理中であっても、指示された処理を撮影処理が完了する前に実行することにより、速やかにレンズを収納位置に沈胴してレンズ鏡筒の縮筒動作を行う撮像装置もある（例えば、特許文献１参照）。
【先行技術文献】
【特許文献】
【０００３】
【特許文献１】特開２００３−１３１３０４号公報
【特許文献２】特開２００５−２８６４９７号公報
【発明の概要】
【発明が解決しようとする課題】
【０００４】
しかしながら、特許文献１に示す撮像装置は、露光処理が完了した後の記録処理が完了する前に、レンズ鏡筒の縮筒動作を開始することにより速やかに縮筒動作を開始するものである。そのため、この撮像装置は、例えば、動画記録中において露光処理が継続している場合に縮筒動作を含む処理の指示があっても、同様に速やかに縮筒動作を行うことができないことがある。
このように、撮像装置において、縮筒動作を含む処理の指示が撮影処理中にあった場合には何れの動作がなされるかわからないことがあるため、ユーザにとって使い勝手が悪いという問題があった。
なお、特許文献２には、レンズ交換式の撮像装置においてレンズが取外された場合、強制的に再生モードに切替える撮像装置が開示されている。しかし、この特許文献２に示す撮像装置は、撮像装置の動作モードを強制的切替えるものであって、上述の問題を解決するものではない。
【０００５】
本発明は、このような事情に鑑みてなされたもので、その目的は、レンズ鏡筒の縮筒動作を行う際のユーザビリティを向上させた撮像装置、プログラム、およびカメラボディを提供することにある。
【課題を解決するための手段】
【０００６】
この発明は上述した課題を解決するためになされたもので、本発明は、鏡筒の光軸方向の長さを、前記鏡筒内の光学系の配置が撮影可能な状態となる第１の長さから、前記第１の長さに対して長さを短縮した第２の長さにする縮筒動作を行う鏡筒部と、前記鏡筒部の前記縮筒動作を駆動する駆動部と、前記縮筒動作の駆動の開始を指示する操作が可能な操作部と、前記鏡筒部を介して入射された被写体光束を露光して撮影処理を行う撮像部と、前記撮像部を制御するとともに、前記操作部が操作されたことを検出した場合に前記駆動部を制御する制御部と、を備え、前記制御部は、記録のための露光処理を含む撮影処理中の期間に前記操作部が操作されたことを検出した場合に、当該露光処理および前記縮筒動作のうちの何れの制御を優先させるかを示す制御情報を報知することを特徴とする撮像装置である。
【０００７】
また、本発明は、鏡筒の光軸方向の長さを、前記鏡筒内の光学系の配置が撮影可能な状態となる第１の長さから、前記第１の長さに対して長さを短縮した第２の長さにする縮筒動作を行う鏡筒部を有する撮像装置が備える制御部の動作を制御するプログラムであって、撮像部に、前記鏡筒部を介して入射された被写体光束を露光して撮影処理を実行させるととともに、操作部から前記縮筒動作の駆動の開始を指示する操作がされたことを検出した場合に前記鏡筒部の前記縮筒動作を駆動する駆動部を制御する制御ステップ、を含み、前記制御ステップにおいては、記録のための露光処理を含む撮影処理中の期間に前記操作部が操作されたことを検出した場合に、当該露光処理および前記縮筒動作のうちの何れの制御を優先させるかを示す制御情報を報知することを特徴とするプログラムである。
【０００８】
また、本発明は、鏡筒の光軸方向の長さを、前記鏡筒内の光学系の配置が撮影可能な状態となる第１の長さから、前記第１の長さに対して長さを短縮した第２の長さにする縮筒動作を行う鏡筒部と、前記鏡筒部の前記縮筒動作を駆動する駆動部と、前記縮筒動作の駆動の開始を指示する操作が可能な操作部と、を有する交換レンズを着脱可能なカメラボディであって、前記交換レンズの前記鏡筒部を介して入射された被写体光束を露光して撮影処理を行う撮像部と、前記撮像部を制御するとともに、前記操作部が操作されたことを検出した場合に前記駆動部を制御する制御部と、を備え、前記制御部は、記録のための露光処理を含む撮影処理中の期間に前記操作部が操作されたことを検出した場合に、当該露光処理および前記縮筒動作のうちの何れの制御を優先させるかを示す制御情報を報知することを特徴とするカメラボディである。
【発明の効果】
【０００９】
この発明によれば、レンズ鏡筒の縮筒動作を行う際のユーザビリティを向上させることができる。
【図面の簡単な説明】
【００１０】
【図１】第１実施形態による撮像装置の構成の一例を示すブロック図である。
【図２】露光処理（撮影処理）を優先させる場合の処理の例を示すフローチャートである。
【図３】縮筒動作を優先させる場合の処理の第１例を示すフローチャートである。
【図４】縮筒動作を優先させる場合の処理の第２例を示すフローチャートである。
【図５】第２実施形態における撮像装置の構成の一例を示す概略ブロック図である。
【図６】第２実施形態における露光処理（撮影処理）を優先させる場合の処理の例を示すフローチャートである。
【図７】第２実施形態における縮筒動作を優先させる場合の処理示すフローチャートである。
【発明を実施するための形態】
【００１１】
＜第１実施形態＞
以下、図面を参照して、本発明の実施の形態について説明する。図１は、この発明の第１実施形態による撮像装置１の構成の一例を示す概略ブロック図である。
図１に示す撮像装置１は、レンズ交換式の撮像装置であり、交換レンズ２００と、交換レンズ２００を着脱可能なカメラボディ１００と、を備えている。この図において、交換レンズ２００は、交換レンズ２００に設けられているレンズ側マウント部２０１を介して、カメラボディ１００に設けられているカメラボディ側マウント部１０１に装着されている。
【００１２】
また、交換レンズ２００のレンズ側マウント部２０１の近傍には、複数の電気的な接続端子（マウント接点）が設けられている。この図に示す交換レンズ２００には、６つの接続端子ＴＬ１〜ＴＬ６が設けられている。一方、カメラボディ１００のカメラボディ側マウント部１０１の近傍にも、複数の電気的な接続端子（マウント接点）が設けられている。この図に示すカメラボディ１００には、６つの接続端子ＴＢ１〜ＴＢ６が設けられている。交換レンズ２００がカメラボディ１００に対して装着されると、これら交換レンズ２００の接続端子ＴＬ１〜ＴＬ６は、カメラボディ１００の６つの接続端子ＴＢ１〜ＴＢ６の互いに対応する接続端子に対して電気的に接続される。
また、交換レンズ２００がカメラボディ１００に対して装着されると、交換レンズ２００（レンズ側マウント部２０１）の導電性の筐体部を含むレンズ側マウントグランド２５０と、カメラボディ１００（カメラボディ側マウント部１０１）の導電性の筐体部を含むカメラボディ側マウントグランド１５０とが電気的に接続される。
【００１３】
＜交換レンズ２００の構成＞
続いて、交換レンズ２００の構成について詳しく説明する。
交換レンズ２００は、光学系２１１を内部に有して光軸方向に伸筒動作または縮筒（沈胴）動作するレンズ鏡筒２１０（鏡筒部）と、レンズ鏡筒２１０の伸筒動作または縮筒（沈胴）動作を駆動する鏡筒駆動部２２０（駆動部）と、レンズ制御部２３０と、不揮発性メモリー２３５と、電圧検出部２３６と、レンズ操作部２４０と、を備えている。
【００１４】
光学系２１１は、撮影用のレンズとして、ズーム用レンズ、焦点調整用レンズ（フォーカス用レンズ）、光学像の像ぶれ補正用レンズ（防振用レンズ）等の複数のレンズ、および絞り機構を含んで構成されている。
レンズ鏡筒２１０は、光軸方向に複数に分割されており、レンズ側マウント部２０１のマウント面に対して光軸方向の位置が固定されている固定筒と、この固定筒に対して光軸方向に移動可能な移動筒を備えている。これにより、レンズ鏡筒２１０は、鏡筒の光軸方向の長さを伸長する伸筒動作と、長さを短縮する縮筒動作とを行う。
【００１５】
例えば、レンズ鏡筒２１０は、鏡筒の光軸方向の長さを、光学系２１１の配置が撮影可能な状態となるような伸張した長さ（第１の長さ）に伸筒している状態（固定筒に対して光軸方向に移動筒が突出しているような状態）とする伸筒動作を行う。また、レンズ鏡筒２１０は、鏡筒の光軸方向の長さを、伸筒している状態に対して光軸方向の長さを短縮した長さ（第２の長さ）となる縮筒している状態（固定筒に対して光軸方向に移動筒が収納されるような状態）とする縮筒動作を行う。
【００１６】
ここで、レンズ鏡筒２１０が縮筒している状態は、光学系２１１が有する複数のレンズの光軸方向における互いの間隔を短縮させて、鏡筒の光軸方向の長さを短縮させた状態であって、光学系２１１の配置が撮影可能な状態ではなく収納された状態である。
なお、伸筒している状態において、例えば、ズーム倍率の変更、焦点調整等によって光学系２１１が有するレンズの位置が移動することにともない、縮筒している状態の長さよりも伸長された長さの範囲内（すなわち、伸筒している状態）で、レンズ鏡筒２１０の鏡筒の長さが変更される構成であってもよい。
【００１７】
鏡筒駆動部２２０は、伸筒縮筒モータ２２１と、伸筒縮筒駆動部２２２と、エンコーダ２２３と、を備えている。伸筒縮筒モータ２２１は、レンズ鏡筒２１０の伸筒動作または縮筒動作を駆動する動力源である。伸筒縮筒駆動部２２２は、レンズ制御部２３０からの制御信号を受けて伸筒縮筒モータ２２１の駆動を制御することにより、レンズ鏡筒２１０の伸筒動作または縮筒動作を駆動する。エンコーダ２２３は、レンズ鏡筒２１０の伸筒動作または縮筒動作による鏡筒（移動筒）の移動位置を検出して、検出した位置情報を示す信号をレンズ制御部２３０に送信する。
【００１８】
不揮発性メモリー２３５には、交換レンズ２００の光学系２１１の光学特性（焦点距離、開放Ｆ値等）や機能（オートフォーカス機能、絞り駆動方式、防振機能の有無等）等に関する情報であるレンズ情報が記憶されている。不揮発性メモリー２３５に記憶されているレンズ情報は、レンズ制御部２３０の制御により必要に応じて読み出される。
また、交換レンズ２００は、ユーザ（操作者）が操作可能な操作釦を有するレンズ操作部２４０を備えている。レンズ操作部２４０は、レンズ鏡筒２１０の縮筒動作の開始を指示する操作が可能な縮筒釦２４１（操作部）と、防振用レンズの制御の開始と終了とを切替える防振機能ＯＮ／ＯＦＦ釦２４２と、を有しており、操作釦毎に操作状態を示す操作信号をレンズ制御部２３０に送信する。
【００１９】
レンズ制御部２３０は、装着されたカメラボディ１００との間で通信処理を行うとともに、交換レンズ２００の各部を制御する。
例えば、レンズ制御部２３０は、カメラボディ１００から受信した制御指令に応じて、鏡筒駆動部２２０を制御してレンズ鏡筒２１０の伸筒動作または縮筒動作の処理を行わせる。具体的には、レンズ制御部２３０は、レンズ鏡筒２１０伸筒している状態（伸筒状態）にある場合に、カメラボディ１００から縮筒動作の実行を示す制御指令を受信することに応じて、縮筒動作の処理を伸筒縮筒駆動部２２２に実行させる。また、レンズ制御部２３０は、レンズ鏡筒２１０が縮筒している状態（縮筒状態）にある場合に、カメラボディ１００から伸筒動作の実行を示す制御指令を受信することに応じて、伸筒動作の処理を伸筒縮筒駆動部２２２に実行させる。なお、レンズ制御部２３０は、エンコーダ２２３から受信した位置情報を示す信号に基づいて、レンズ鏡筒２１０を所定の伸筒位置（所定の伸筒状態または縮筒位置（所定の縮筒状態）になるように停止させるフィードバック制御を行う。
【００２０】
また、レンズ制御部２３０は、ユーザの操作に応じて縮筒釦２４１が押下されることにより、押下された操作状態を示す操作信号を受信した場合、縮筒動作の開始を指示する操作がされたことを示す信号を、装着されたカメラボディ１００に対して送信する。
なお、レンズ制御部２３０は、ズーム用レンズ、フォーカス用レンズ、防振用レンズ、絞り機構等を駆動するそれぞれの駆動部（不図示）の制御も行う。
【００２１】
次に、交換レンズ２００のレンズ側マウント部２０１を介して装着されたカメラボディ１００との間の電気的な接続について説明する。
交換レンズ２００の接続端子ＴＬ１は、カメラボディ１００の接続端子ＴＢ１に接続され、レンズ鏡筒２１０を駆動する伸筒縮筒駆動部２２２、光学系２１１を駆動する駆動部等の駆動系回路に給電されるパワー系電源ＰＷＲの電圧がカメラボディ１００から供給される。また、交換レンズ２００の接続端子ＴＬ２は、カメラボディ１００の接続端子ＴＢ２に接続され、レンズ制御部２３０、不揮発性メモリー２３５等の制御系回路に給電される制御系電源Ｖｃｃの電圧がカメラボディ１００から供給される。
【００２２】
なお、交換レンズ２００内において、パワー系電源ＰＷＲから給電される負荷の最大消費電力は、制御系電源Ｖｃｃから給電される負荷の最大消費電力よりも多い。
また、電圧検出部２３６は、パワー系電源ＰＷＲの電圧を検出（モニター）して、検出した電圧（給電状態）を、レンズ制御部２３０に送信する。
【００２３】
パワー系電源ＰＷＲに対応するグランドであるパワー系グランドＰＧＮＤは、交換レンズ２００の接続端子ＴＬ６とカメラボディ１００の接続端子ＴＢ６とを介して接続されている。交換レンズ２００内において、パワー系グランドＰＧＮＤは、例えば伸筒縮筒駆動部２２２、電圧検出部２３６等のそれぞれのグランド端子に接続されている。
なお、レンズ側マウントグランド２５０（ＭＧＮＤ）は、交換レンズ２００内において、制御系電源Ｖｃｃに対応するグランドとして、例えばレンズ制御部２３０、不揮発性メモリー２３５、レンズ操作部２４０等のそれぞれのグランド端子に接続されている。
【００２４】
交換レンズ２００の接続端子ＴＬ３、ＴＬ４、ＴＬ５は、カメラボディ１００の接続端子ＴＢ３、ＴＢ４、ＴＢ５にそれぞれ接続され、交換レンズ２００とカメラボディ１００との間の通信処理に関する信号が授受される。
レンズ制御部２３０は、接続端子ＴＬ３と接続端子ＴＢ３とを介して、カメラボディ１００と交換レンズ２００との装着を検出するためのハンドシェイク信号ＨＳを授受（通信）する。また、レンズ制御部２３０は、接続端子ＴＬ４と接続端子ＴＢ４とを介して、シリアル通信用のデータ信号ＤＡＴＡを授受（通信）する。また、レンズ制御部２３０は、接続端子ＴＬ５と接続端子ＴＢ５とを介して、シリアル通信用のクロック信号ＣＬＫをカメラボディ１００から受信する。
【００２５】
＜カメラボディ１００の構成＞
次に、カメラボディ１００の構成について詳しく説明する。
カメラボディ１００は、撮像部１０２と、シーケンス処理部１０３と、音声系処理部１０４と、報知部１１０と、電源部１２０と、カメラ制御部１３０（制御部）と、カメラ操作部１４０と、バッテリー１６０を収納するバッテリー部１６０Ｂと、を備えている。
【００２６】
撮像部１０２は、撮像素子、及びＡ/Ｄ変換部等を含んで構成されており、装着された交換レンズ２００の光学系２１１（レンズ鏡筒２１０）を介して入射された被写体光束（光学像）を露光し、露光したデータをデジタル信号に変換して画像データを生成する撮影理を行う。
なお、上述の撮像素子は、例えば、周知のＣＣＤ（Charge Coupled Device）またはＣＭＯＳ（Complementary Metal Oxide Semiconductor）センサ等を含んで構成されている。
【００２７】
シーケンス処理部１０３は、撮影処理を実行する際のシーケンス制御の処理を実行する。例えば、シーケンス処理部１０３は、静止画撮影処理および動画撮影処理のそれぞれの撮影処理に対応したシーケンス処理を、撮像部１０２に実行させるとともに、交換レンズ２００の光学系２１１を駆動させるための制御指令を、カメラ制御部１３０を介してレンズ制御部２３０に送信する。また、シーケンス処理部１０３は、カメラ制御部１３０の制御により、静止画撮影処理または動画撮影処理に対応したシーケンス処理を実行する。
【００２８】
音声系処理部１０４は、マイク等の音入力部（不図示）に入力された音声信号をデジタル信号に変換して音声データを生成する。例えば、動画記録の際に、撮像部における動画像の撮像処理と平行して、動画像データに関連付けて記録するための音声データを生成する。
【００２９】
報知部１１０は、表示部１１１と、音出力部１１２とを備えている。この報知部１１０は、カメラ制御部１３０の制御により、撮像装置１の動作状態に基づく情報（制御情報）をユーザに報知する。例えば、報知部１１０は、カメラ制御部１３０の制御により、撮像装置１の動作状態に基づく情報を、文字情報やアイコン情報として表示部１１１に表示、または音情報や音声情報として音出力部１１２から出力する。
音出力部１１２は、例えばスピーカーまたはブザー等を含んで構成されている。また、表示部１１１は、液晶ディスプレイ、有機ＥＬ（Electro-Luminescence）ディスプレイ、またはＬＥＤ（Light  Emitting  Diode）等を含んで構成されている。
【００３０】
なお、音出力部１１２は、例えば、記録されている動画データを再生表示する際に、この動画データに関連付けられている音データを出力するためのスピーカーと兼用して設けられているものであってもよいし、別に設けられているものであってもよい。また、表示部１１１は、画像データ等を表示する表示部と兼用して設けられているものであってもよいし、別に設けられているものであってもよい。
【００３１】
バッテリー１６０は、バッテリー部１６０Ｂに収納されることでカメラボディ１００に搭載され、カメラボディ１００の各部およびカメラボディ１００に装着された交換レンズ２００の各部に対して給電する。例えば、バッテリー１６０は、リチウムイオン２次電池またはニッケル水素２次電池等である。なお、バッテリー１６０は、アルカリ電池等の１次電池であってもよい。なお、カメラボディ１００は、バッテリー１６０から給電される構成に限られず、外部の直流電源（例えば、交流電源から直流電源に変換して電圧を供給するＡＣアダプター等）から給電されてもよい。
【００３２】
また、収納されているバッテリー１６０の正極端子が接続されているバッテリー部１６０Ｂの端子は、スイッチ１２３を介して電源部１２０と接続端子ＴＢ１とに接続されている。これにより、バッテリー１６０から供給される電圧（バッテリー電圧）に応じたパワー系電源ＰＷＲの電圧が、電源部１２０と接続端子ＴＢ１とにそれぞれ給電される。
また、パワー系電源ＰＷＲに対応するグランドであるパワー系グランドＰＧＮＤは、収納されているバッテリー１６０の負極端子が接続されているバッテリー部１６０Ｂの端子と、接続端子ＴＢ６と、電源部１２０のグランド端子とにそれぞれ接続されている。
【００３３】
電源部１２０は、バッテリー１６０から供給されるバッテリー電圧を、カメラボディ１００またはカメラボディ１００に装着される交換レンズ２００の各部に供給する電圧に変換する。例えば、電源部１２０は、バッテリー電圧を変換することで、交換レンズ２００のレンズ制御部２３０に供給する制御系電源Ｖｃｃの電圧を生成して、接続端子ＴＢ２に給電する。この制御系電源Ｖｃｃの電圧は、カメラボディ１００の電源部１２０から接続端子ＴＢ２と交換レンズ２００の接続端子ＴＬ２とを介して、交換レンズ２００のレンズ制御部２３０に供給される。
【００３４】
また、電源部１２０は、バッテリー電圧を変換することで、カメラボディ１００が備えている制御系回路（主にカメラ制御部１３０）に供給する制御系電源ＶＤＤの電圧を生成する。カメラ制御部１３０には、この生成した制御系電源ＶＤＤの電圧がダイオード１２２を介して電源部１２０に給電されるとともに、ダイオード１２１を介してバッテリー１６０からバッテリー電圧が給電される。例えば、電源部１２０がカメラ制御部１３０に供給する制御系電源ＶＤＤの電圧を生成している際は、カメラ制御部１３０には、バッテリー電圧よりも高い電圧である制御系電源ＶＤＤの電圧が供給される。一方、例えばカメラボディ１００の主電源スイッチがオフされて、電源部１２０が制御系電源ＶＤＤの電圧の給電を停止した場合、制御系電源ＶＤＤの電圧がバッテリー電圧よりも低い電圧となり、カメラ制御部１３０には、バッテリー電圧が供給される。カメラ制御部１３０は、このバッテリー電圧の供給により、カメラボディ１００の主電源スイッチがオフされている間も、例えば時計回路の計時動作や所定の設定情報の記憶動作等を継続させる制御をする。
【００３５】
なお、カメラボディ側マウントグランド１５０（ＭＧＮＤ）は、カメラボディ１００内において、制御系電源ＶＤＤに対応するグランドとして、例えばカメラ制御部１３０、カメラ操作部１４０等を含む制御系回路（他に、撮像部１０２、シーケンス処理部１０３、音声系処理部１０４、報知部１１０等を含む制御系回路）のそれぞれのグランド端子に接続されている。
【００３６】
カメラ操作部１４０は、ユーザ（操作者）が操作可能な操作釦を有している。例えば、カメラ操作部１４０は、レリーズ釦、動作モードの選択釦（例えば、静止画撮影モード、動画撮影モード等を選択するモードダイヤル）、各種設定条件の選択釦（例えば、メニュー画面を表示させるメニュー釦、上下左右選択釦、確定釦、取消釦等）等を含んで構成されている。カメラ操作部１４０は、操作釦毎に操作状態を示す操作信号を、カメラ制御部１３０に送信する。
【００３７】
なお、レリーズ釦は、撮影処理開始の指示を受け付ける操作部材であって、例えば、半押しされた状態（半押し状態、例えば、焦点調整、露出調整等を受け付ける状態）と全押しされた状態（全押し状態、例えば、露光開始の指示を受け付ける状態）との２種類の撮影処理開始の指示を受け付ける。
【００３８】
カメラ制御部１３０は、カメラボディ１００の各部を制御するとともに、装着された交換レンズ２００（レンズ制御部２３０）との間で通信処理を行うことにより、レンズ制御部２３０を介して交換レンズ２００の各部を制御する。すなわち、カメラ制御部１３０は、撮像装置１の各部を制御する。例えば、カメラ制御部１３０は、カメラ操作部１４０からの操作信号を検出して、検出した操作信号に基づいて撮像装置１の各部を制御する。
【００３９】
例えば、カメラ制御部１３０は、カメラ操作部１４０からの撮影モードを示す操作信号を検出することに応じて、設定されている撮影モード（例えば、静止画撮影モード、動画撮影モード等）で動作するように撮像部１０２を制御する。また、カメラ制御部１３０は、カメラ操作部１４０からの撮影指示を示す操作信号（例えば、レリーズ釦が押下（全押し）されたこと示す操作信号）を検出することに応じて、シーケンス処理部１０３に静止画撮影処理または動画撮影処理に対応したシーケンス処理の実行を指示する。これにより、シーケンス処理部１０３は、静止画撮影処理および動画撮影処理のそれぞれの撮影処理に対応したシーケンス処理を、撮像部１０２に実行させるとともに、交換レンズ２００の光学系２１１を駆動させるための制御指令を、カメラ制御部１３０を介してレンズ制御部２３０に送信する。例えば、カメラ制御部１３０は、シーケンス処理部１０３から受信した制御指令として、交換レンズ２００の光学系２１１（例えばズーム用レンズ、フォーカス用レンズ、防振用レンズ等）を駆動させるための制御指令をレンズ制御部２３０に対して送信する。また、カメラ制御部１３０は、撮像部１０２において生成された画像データに対して各種の画像処理（例えば、ＷＢ（White Balance）調整、色補正、及び階調補正等）を実行した後、当該画像データに圧縮処理を実行してカメラボディ１００に搭載されている記憶媒体（不図示）に記録する。
【００４０】
また、カメラ制御部１３０は、レンズ制御部２３０との間で通信処理を行うことにより、交換レンズ２００が装着されているか否かを示す情報、光学系２１１のレンズ情報、レンズ鏡筒２１０または光学系２１１の駆動状態を示す情報、レンズ操作部２４０の操作状態を示す情報等を受信し、受信した情報に基づいて撮像装置１の各部を制御する。
例えば、カメラ制御部１３０は、交換レンズ２００が装着されているか否かを示す情報を、ハンドシェイク信号ＨＳにより授受することで、交換レンズ２００が装着されているか否かの装着検出を行う。また、カメラ制御部１３０は、データ信号ＤＡＴＡおよびクロック信号ＣＬＫを用いたシリアル通信により、光学系２１１のレンズ情報、レンズ鏡筒２１０または光学系２１１の駆動状態を示す情報、レンズ操作部２４０の操作状態を示す情報等を受信する。
【００４１】
また、カメラ制御部１３０は、撮像装置１の動作状態に基づいて、撮像装置１の動作状態に基づく情報（制御情報）を、表示部１１１に表示または音出力部１１２から出力させるように報知部１１０を制御する。
【００４２】
次に、第１実施形態における縮筒動作に関する処理について説明する。
カメラ制御部１３０は、記録のための露光処理を含む撮影処理中の期間に縮筒釦２４１が操作されたことを検出した場合に、当該露光処理（撮影処理）および縮筒動作のうちの何れの制御を優先させるかを示す制御情報を報知する。例えば、カメラ制御部１３０は、静止画を撮影して記録するための露光処理を含む静止画の撮影処理中の期間に、縮筒釦２４１が操作されたことを検出した場合に、当該露光処理（静止画の撮影処理）および縮筒動作のうちの何れの制御を優先させるかを示す制御情報を報知する。また、カメラ制御部１３０は、動画を撮影して記録するための露光処理を含む動画の撮影処理中の期間に、縮筒釦２４１が操作されたことを検出した場合に、当該露光処理（動画の撮影処理）および縮筒動作のうちの何れの制御を優先させるかを示す制御情報を報知する。
【００４３】
なお、カメラ制御部１３０は、交換レンズ２００の縮筒釦２４１が操作されたことを、レンズ制御部２３０と通信することにより検出する。
また、静止画を撮影して記録するための露光処理を含む静止画の撮影処理中の期間とは、例えば、静止画撮影モードにおいてレリーズ釦が全押しされてから、露光処理が実行され露光データから画像データが生成されて記録されるまでの一連の処理が実行中の期間である。また、動画を撮影して記録するための露光処理を含む動画の撮影処理中の期間とは、動画撮影モードにおいて動画の撮影開始を示す釦が押下（例えばレリーズ釦が全押し）されてから、動画の撮影終了を示す釦が押下（例えばレリーズ釦が再び押下）された後の露光処理が完了して生成された動画データが記録されるまで一連の処理が実行中の期間である。
【００４４】
また、カメラ制御部１３０は、上述の制御情報を、報知部１１０を介してユーザに報知する。例えば、カメラ制御部１３０は、露光処理（撮影処理）および縮筒動作のうちの何れの制御を優先させるかを示す制御情報を、文字情報やアイコン情報として表示部１１１に表示、または音情報や音声情報として音出力部１１２から出力する。また、カメラ制御部１３０は、露光処理（撮影処理）および縮筒動作のうちの何れの制御を優先させるかを示す制御情報として、優先しない制御に関する情報（例えば、撮影処理を終了させる制御、縮筒動作を保留させる制御等を示す情報）を、報知部１１０を介してユーザに報知してもよい。
具体的には、カメラ制御部１３０は、露光処理（動画の撮影処理）を優先させる場合、露光処理（動画の撮影処理）を優先させることを示す情報として、表示部１１１に「撮影処理を優先」、または「撮影処理を優先して、レンズの縮筒を保留中」等の文字情報を表示させてもよい。また、カメラ制御部１３０は、縮筒動作を優先させる場合、縮筒動作を優先させることを示す情報として、表示部１１１に「レンズの縮筒動作を優先」、または「レンズの縮筒釦が押されたため、撮影処理を強制終了」等の文字情報を表示させてもよい。
【００４５】
なお、カメラ制御部１３０は、上述した、露光処理（動画の撮影処理）を優先させることを示す情報、または縮筒動作を優先させることを示す情報を、アイコン化した情報にして表示部１１１に表示させてもよい。また、カメラ制御部１３０は、上述した、露光処理（動画の撮影処理）を優先させることを示す情報、または縮筒動作を優先させることを示す情報を、音声情報にして音出力部１１２から出力させてもよい。
【００４６】
よって、カメラ制御部１３０は、撮影処理中の期間にレンズ鏡筒２１０の縮筒動作を指示する操作がされた場合、露光処理（撮影処理）および縮筒動作のうちの何れの制御を優先させるかを示す制御情報をユーザに報知することができる。
【００４７】
なお、縮筒動作の開始のトリガとなるものは、縮筒釦２４１が押下されることに限られるものではない。例えば、縮筒動作の開始のトリガとなるものは、撮像装置１（カメラボディ１００）の主電源のオンとオフとを切替えるスイッチがオフに操作されること、交換レンズ２００が取外される操作がされること等であってもよい。
【００４８】
また、カメラ制御部１３０は、露光処理（撮影処理）を優先させる処理を行う制御（第１の制御）およびレンズ鏡筒２１０の縮筒動作を優先させる処理を行う制御（第２の制御）のうち、設定された何れかの制御を実行する。例えば、カメラ制御部１３０は、上述の第１の制御および第２の制御のうち、撮像装置１において予め設定されている何れかの制御を実行する。なお、撮像装置１において、第１の制御および第２の制御のうち予め設定されている何れかの制御は、第１の制御および第２の制御のうちの何れかの一方の制御に設定されていてもよいし、撮影処理の種類（静止画撮影処理、動画撮影処理等）に対応して、第１の制御および第２の制御のうちの何れかの制御に設定されていてもよい。
【００４９】
また、カメラ制御部１３０は、上述の第１の制御および第２の制御のうち、ユーザにより選択された何れかの制御を実行してもよい。例えば、撮像装置１は、第１の制御または第２の制御を選択可能な選択画面（設定メニュー）を、撮像装置１の各種設定が可能な設定モードのひとつとして表示部に表示し、ユーザの操作に応じて選択された制御に設定するようにしてもよい。また、撮像装置１は、この選択画面（設定メニュー）を、撮影処理中の期間に縮筒釦２４１が押下された際に表示部に表示し、ユーザの操作に応じて選択された制御を実行するようにしてもよい。
【００５０】
このように、ユーザにより選択可能な構成とした場合、カメラ制御部１３０は、ユーザの都合に合わせて、第１の制御および第２の制御のうちユーザにより選択された何れかの制御を実行することができる。さらに、カメラ制御部１３０は、第１の制御および第２の制御のうちユーザに選択された何れの制御を実行するかをユーザに報知することができる。
【００５１】
なお、カメラ制御部１３０は、静止画撮影処理の場合、上述の第１の制御を実行し、動画撮影処理の場合、第１の制御および第２の制御のうちの何れかの制御を実行するようにしてもよい。つまり、カメラ制御部１３０は、静止画撮影処理の場合、動画撮影処理に比較して撮影処理中となる時間が短いことが多いため、撮影処理を優先させる第１制御を実行してもよい。一方、カメラ制御部１３０は、静止画撮影処理に比較して撮影処理中となる時間が長いことが多い（比較して、縮筒釦２４１が押下される（縮筒動作のトリガが入力される）機会が頻繁にあると想定される）動画撮影処理の場合、第１の制御および第２の制御のうち、選択された（例えば、ユーザに選択された）何れかの制御を実行してもよい。
これにより、カメラ制御部１３０は、撮影処理の種類に応じて、第１の制御および第２の制御のうち適した制御を実行することができる。
【００５２】
続いて、露光処理（撮影処理）を優先させる処理を行う制御（第１の制御）と、縮筒動作を優先させる処理を行う制御（第２の制御）とのそれぞれの動作について詳しく説明する。
【００５３】
（露光処理（撮影処理）を優先させる場合の処理の例）
まず、露光処理（撮影処理）を優先させる処理を行う制御（第１の制御）の例について説明する。
カメラ制御部１３０は、記録のための露光処理を含む撮影処理中の期間に縮筒釦２４１が操作されたことを検出した場合に、鏡筒駆動部２２０に対する縮筒動作の処理の実行開始を保留して、当該処理を保留したことを示す情報を制御情報として報知するとともに、記録のための露光処理が完了した後に、保留していた縮筒動作の処理を鏡筒駆動部２２０に実行開始させる制御（第１の制御）を実行する。
【００５４】
図２は、露光処理（撮影処理）を優先させる場合の処理の例を示すフローチャートである。以下、図２が示すフローチャートを用いて、露光処理（撮影処理）を優先させる場合の処理の例を具体的に説明する。
【００５５】
カメラ制御部１３０は、レンズ制御部２３０との通信処理により、縮筒釦２４１が押下されたか否か（縮筒動作のトリガ入力があるか否か）を検出する（ステップＳ１１）。例えば、レンズ制御部２３０は、縮筒釦２４１が押下されたことを検出した場合、縮筒釦２４１が押下されたことを示す情報（縮筒動作のトリガ入力があったことを示す情報）を、カメラ制御部１３０に送信する。カメラ制御部１３０は、レンズ制御部２３０から縮筒釦２４１が押下されたことを示す情報（縮筒動作のトリガ入力があったことを示す情報）を受信した場合に、縮筒釦２４１が押下された（縮筒動作のトリガ入力があった）ことを検出する。
【００５６】
ステップＳ１１において、カメラ制御部１３０は、レンズ制御部２３０から縮筒釦２４１が押下されたことを示す情報（縮筒動作のトリガ入力があったことを示す情報）を受信しない場合は、レンズ制御部２３０との通信処理により、縮筒釦２４１が押下された否か（縮筒動作のトリガ入力があるか否か）を検出するステップＳ１１の処理を繰り返して実行する。一方、ステップＳ１１において、カメラ制御部１３０は、レンズ制御部２３０との通信処理により、縮筒釦２４１が押下された（縮筒動作のトリガ入力があった）ことを検出した場合、ステップＳ１２に処理を進める。
【００５７】
ステップＳ１２において、カメラ制御部１３０は、記録するための撮影処理中であるか否かを判定する。ステップＳ１２において、撮影処理中でないと判定された場合、カメラ制御部１３０は、レンズ鏡筒２１０の縮筒動作の実行開始を示す制御指令をレンズ制御部２３０に送信する（ステップＳ１６）。これにより、レンズ制御部２３０は、鏡筒駆動部２２０に対する縮筒動作の処理を実行する。
【００５８】
一方、ステップＳ１２において、撮影処理中であると判定された場合、次に、カメラ制御部１３０は、露光処理が完了しているか否かを判定する（ステップＳ１３）。
ステップＳ１３において、露光処理が完了していると判定された場合、カメラ制御部１３０は、レンズ鏡筒２１０の縮筒動作の実行開始を示す制御指令をレンズ制御部２３０に送信する（ステップＳ１６）。これにより、レンズ制御部２３０は、鏡筒駆動部２２０に対する縮筒動作の処理を実行する。
【００５９】
一方、ステップＳ１３において、露光処理が完了していないと判定された場合、カメラ制御部１３０は、レンズ鏡筒２１０の縮筒動作の実行開始を示す制御指令をレンズ制御部２３０に送信する処理を保留する（ステップＳ１４）。なお、ステップＳ１３において、露光処理が完了していないと判定された場合、カメラ制御部１３０は、レンズ鏡筒２１０の縮筒動作の実行開始を保留する制御指令を、レンズ制御部２３０に送信する制御としてもよい。これにより、レンズ制御部２３０は、鏡筒駆動部２２０に対する縮筒動作の処理の実行開始を保留する。
【００６０】
次に、カメラ制御部１３０は、レンズ鏡筒２１０の縮筒動作の実行開始を保留したことを示す情報（縮筒動作保留中を示す情報）を、報知部１１０を介して報知する（ステップＳ１５）。例えば、カメラ制御部１３０は、表示部１１１に「撮影処理を優先して、レンズの縮筒を保留中」等の文字情報を表示させて、撮影処理が優先されて縮筒動作が保留中であることを報知する。
【００６１】
続いて、カメラ制御部１３０は、ステップＳ１３の露光処理が完了しているか否かを判定する処理に戻し、ステップＳ１３において露光処理が完了していると判定されるまでの間、ステップＳ１３からＳ１５の処理を繰り返し実行する。ステップＳ１３において、露光処理が完了していると判定された場合、カメラ制御部１３０は、保留していたレンズ鏡筒２１０の縮筒動作の実行開始を示す制御指令をレンズ制御部２３０に送信する（ステップＳ１６）。これにより、レンズ制御部２３０は、鏡筒駆動部２２０に対する縮筒動作の処理を実行する。
【００６２】
このように、カメラ制御部１３０は、記録のための露光処理を含む撮影処理中の期間に縮筒釦２４１が操作されたことを検出した場合に、縮筒動作の処理の実行開始を保留して、当該処理を保留したことを示す情報を制御情報として報知することができる。また、カメラ制御部１３０は、記録のための露光処理が完了した後に、保留していた縮筒動作の処理を鏡筒駆動部２２０に実行開始させることができる。
つまり、カメラ制御部１３０は、記録のための露光処理を含む撮影処理中の期間に縮筒釦２４１が操作されたことを検出した場合に、当該処理中の撮影処理を完了するまで（露光処理が完了するまで）継続し、その後レンズの縮筒動作を実行開始させる。
これにより、カメラ制御部１３０は、撮影処理を中断させることなく完了させることができるとともに、撮影処理が完了した後に、あらためてユーザからの操作を必要とせずに縮筒動作を実行することができる。
【００６３】
（縮筒動作を優先させる場合の処理の例）
次に、縮筒動作を優先させる処理を行う制御（第２の制御）の例について説明する。
カメラ制御部１３０は、記録のための露光処理を含む撮影処理中の期間に縮筒釦２４１が操作されたことを検出した場合に、記録のための露光処理を当該処理が完了したか否かにかかわらず終了させて、当該処理を終了させたことを示す情報を制御情報として報知するとともに、縮筒動作の処理を実行開始させる制御（第２の制御）を実行する。
【００６４】
図３は、縮筒動作を優先させる場合の処理の第１例を示すフローチャートである。以下、図３が示すフローチャートを用いて、縮筒動作を優先させる場合の処理の例を具体的に説明する。なお、図３のステップＳ２１、Ｓ２２の処理は、図２のステップＳ１１、Ｓ１２の処理と同様の処理であり、その説明を省略する。
【００６５】
ステップＳ２２において、縮筒釦２４１が押下されたタイミングが撮影処理中でないと判定された場合、カメラ制御部１３０は、レンズ鏡筒２１０の縮筒動作の実行開始を示す制御指令をレンズ制御部２３０に送信する（ステップＳ２５）。これにより、レンズ制御部２３０は、鏡筒駆動部２２０に対する縮筒動作の処理を実行する。
【００６６】
一方、ステップＳ２２において、縮筒釦２４１が押下されたタイミングが撮影処理中であると判定された場合、カメラ制御部１３０は、露光処理が完了したか否かにかかわらず撮影処理を終了（強制終了）させる（ステップＳ２３）。
【００６７】
次に、カメラ制御部１３０は、撮影処理を終了（強制終了）させたことを示す情報を、報知部１１０を介して報知する（ステップＳ２４）。例えば、カメラ制御部１３０は、表示部１１１に「レンズの縮筒釦が押されたため、撮影処理を強制終了」等の文字情報を表示させて、縮筒動作が優先されて撮影処理が終了されたことを報知する。
続いて、カメラ制御部１３０は、レンズ鏡筒２１０の縮筒動作の実行開始を示す制御指令をレンズ制御部２３０に送信する（ステップＳ２５）。
【００６８】
このように、カメラ制御部１３０は、記録のための露光処理を含む撮影処理中の期間に縮筒釦２４１が操作されたことを検出した場合に、記録のための露光処理を当該処理が完了したか否かにかかわらず終了させて、当該処理を終了させたことを示す情報を制御情報として報知することができる。つまり、カメラ制御部１３０は、記録のための露光処理を含む撮影処理中の期間に縮筒釦２４１が操作されたことを検出した場合に、露光処理（撮影処理）を強制終了させて、縮筒動作の処理を速やかに実行開始させることができる。
【００６９】
なお、図３を用いて、カメラ制御部１３０が、縮筒釦２４１が押下されたことを検出したタイミングが撮影処理中である場合、強制的に撮影処理を終了させる処理について説明したが、これに限られるものではない。
例えば、カメラ制御部１３０は、縮筒釦２４１が操作されたことを検出したタイミングが撮影処理中である場合であっても、露光処理が完了している場合は、撮影処理を中断せずに縮筒動作を実行させてもよい。
【００７０】
図４は、縮筒動作を優先させる場合の処理の第２例を示すフローチャートである。以下、図４が示すフローチャートを用いて、縮筒動作を優先させる場合の処理であって、露光処理が完了している場合は撮影処理を中断せずに縮筒動作を実行させる処理の例を説明する。なお、図４のステップＳ３１、Ｓ３２の処理は、図２のステップＳ１１、Ｓ１２の処理と同様の処理であり、その説明を省略する。
【００７１】
ステップＳ３２において、縮筒釦２４１が押下されたタイミングが撮影処理中でないと判定された場合、カメラ制御部１３０は、レンズ鏡筒２１０の縮筒動作の実行開始を示す制御指令をレンズ制御部２３０に送信する（ステップＳ３６）。これにより、レンズ制御部２３０は、鏡筒駆動部２２０に対する縮筒動作の処理を実行する。
【００７２】
一方、ステップＳ２２において、縮筒釦２４１が押下されたタイミングが撮影処理中であると判定された場合、次に、カメラ制御部１３０は、露光処理が完了しているか否かを判定する（ステップＳ３３）。
ステップＳ３３において、露光処理が完了していると判定された場合、カメラ制御部１３０は、実行中の撮影処理を中断せずに継続するとともに、レンズ鏡筒２１０の縮筒動作の実行開始を示す制御指令をレンズ制御部２３０に送信する（ステップＳ３６）。これにより、レンズ制御部２３０は、鏡筒駆動部２２０に対する縮筒動作の処理を実行する。
【００７３】
一方、ステップＳ３３において、露光処理が完了していないと判定された場合、カメラ制御部１３０は、露光処理を中断して撮影処理を終了（強制終了）させる（ステップＳ３４）。
【００７４】
次に、カメラ制御部１３０は、露光処理を中断して撮影処理を終了（強制終了）させたことを示す情報を、報知部１１０を介して報知する（ステップＳ３５）。
続いて、カメラ制御部１３０は、レンズ鏡筒２１０の縮筒動作の実行開始を示す制御指令をレンズ制御部２３０に送信する（ステップＳ３６）。これにより、レンズ制御部２３０は、鏡筒駆動部２２０に対する縮筒動作の処理を実行する。
【００７５】
このように、カメラ制御部１３０は、記録のための露光処理を含む撮影処理中の期間に縮筒釦２４１が操作されたことを検出した場合に、露光処理が完了している場合は撮影処理を中断せずに縮筒動作を実行させ、露光処理が完了していない場合は撮影処理を中断させて縮筒動作を実行させることができる。つまり、カメラ制御部１３０は、記録のための露光処理を含む撮影処理中の期間に縮筒釦２４１が操作されたことを検出した場合に、露光処理（撮影処理）を強制終了させて、縮筒動作の処理を速やかに実行開始させることができるとともに、縮筒釦２４１が操作されたタイミングが露光処理の完了後であれば撮影処理を中断させずに撮影した画像を記録することもできる。
【００７６】
＜第２実施形態＞
次に、第２実施形態について説明する。
図５は、第２実施形態における撮像装置１Ａの構成の一例を示す概略ブロック図である。この図に示す撮像装置１Ａは、レンズ交換式の撮像装置であり、交換レンズ２００Ａと、交換レンズ２００Ａを着脱可能なカメラボディ１００Ａと、を備えている。同図において図１の各部に対応する部分には同一の符号を付け、その説明を省略する。
【００７７】
この図に示す第２実施形態は、交換レンズ２００Ａがカメラボディ１００Ａに装着された際に、その装着状態が保持されたまま取り外しができないように抑止する抑止機構部（後述の、レンズ着脱ロック機構部２８０）を備えている点が、第１実施形態と相違する。
なお、撮像装置１Ａにおいて、カメラボディ１００Ａから交換レンズ２００Ａが取外される操作（後述の、レンズ着脱釦１７３の操作）が、縮筒動作の開始のトリガにもなる。
【００７８】
カメラボディ１００Ａは、カメラボディ１００Ａに交換レンズ２００Ａが装着されることにより装着された交換レンズ２００Ａの装着状態を保持する保持状態とし、保持状態を解除することにより交換レンズ２００Ａを取外し可能とするレンズ着脱機構部１７０を備えている。なお、このレンズ着脱機構部１７０は、第１実施形態のカメラボディ１００に備えられていてもよい。
【００７９】
レンズ着脱機構部１７０は、ロックピン１７１と、保持機構部１７２と、レンズ着脱釦１７３（解除機構部）とを備えている。
ロックピン１７１は、カメラボディ側マウント部１０１のマウント面に対して突出した突出位置と、突出しない退避位置との間で、カメラボディ側マウント部１０１のマウント面に対して垂直な軸方向に移動可能なように設けられている。保持機構部１７２は、ロックピン１７１を突出位置方向に付勢するばね部材を有しており、交換レンズ２００Ａがカメラボディ側マウント部１０１に装着された際に、ロックピン１７１を突出位置方向に付勢する。これにより、交換レンズ２００Ａがカメラボディ側マウント部１０１に装着された際に、突出位置方向に突出したロックピン１７１は、交換レンズ２００Ａのレンズ側マウント部２０１の係合穴２７０に係合される。すなわち、保持機構部１７２は、交換レンズ２００Ａがカメラボディ側マウント部１０１に装着された際に、ロックピン１７１を係合穴２７０に係合させることにより（交換レンズ２００Ａのカメラボディ側マウント部１０１に対する回転ができないようにロックする（回転が不可能になる）ことにより）、交換レンズ２００Ａが装着されている状態（交換レンズ２００Ａの装着状態）を保持する。
【００８０】
レンズ着脱釦１７３は、保持機構部１７２により交換レンズ２００Ａの装着状態が保持されている保持状態を解除可能な釦である。レンズ着脱釦１７３は、ユーザに操作されることに応じて、ロックピン１７１をロックピン１７１が付勢されている方向（突出位置方向）に対して反対方向（退避位置方向）へ連動させて移動させるように構成されている。例えば、ユーザがレンズ着脱釦１７３を押下した場合に、ロックピン１７１が連動して退避位置方向に移動し、ロックピン１７１と係合穴２７０との係合が解除される。これにより、装着されている交換レンズ２００Ａは、カメラボディ１００Ａから取外しが可能になる（交換レンズ２００Ａのカメラボディ側マウント部１０１に対する回転が可能になる）。すなわち、レンズ着脱釦１７３は、保持機構部１７２により交換レンズ２００Ａの装着状態が保持されている保持状態を、ユーザの操作に応じて解除することが可能な釦である。
【００８１】
また、カメラ制御部１３０は、レンズ着脱釦１７３が押下されたことを検出した場合、交換レンズ２００Ａのレンズ鏡筒２１０Ａの縮筒動作のトリガが入力されたものとして制御する。この場合の縮筒動作について詳しくは、後述する。
【００８２】
次に、交換レンズ２００Ａが備えているレンズ着脱ロック機構部２８０（抑止機構部）について説明する。
レンズ着脱ロック機構部２８０は、ロックピン２８１と、着脱ロックモータ２８２と、着脱ロック駆動部２８３とを備えており、保持機構部１７２により装着状態が保持されている保持状態をレンズ着脱釦１７３により解除できないように（交換レンズ２００Ａをカメラボディ１００Ａから取外しできないように）抑止する。
【００８３】
ロックピン２８１は、レンズ側マウント部２０１のマウント面に対して突出した突出位置と、突出しない退避位置との間で、レンズ側マウント部２０１のマウント面に対して垂直な軸方向に移動可能なように設けられている。着脱ロックモータ２８２は、ロックピン２８１を突出位置または退避位置に移動させる（駆動する）動力源である。着脱ロック駆動部２８３は、レンズ制御部２３０からの制御信号を受けて着脱ロックモータ２８２の駆動を制御することにより、ロックピン２８１を突出位置または退避位置に移動させる。
【００８４】
これにより、交換レンズ２００Ａがカメラボディ１００Ａに装着された状態において、レンズ制御部２３０の制御によりレンズ着脱ロック機構部２８０のロックピン２８１を突出位置に移動させた場合、ロックピン２８１は、カメラボディ１００Ａのカメラボディ側マウント部１０１の係合穴１８０に係合される。これにより、たとえレンズ着脱釦１７３が操作されることにより、ロックピン１７１と係合穴２７０との係合が解除されたとしても、ロックピン２８１と係合穴１８０とが係合されているため、交換レンズ２００Ａが装着されている状態（交換レンズ２００Ａの装着状態）を保持する。すなわち、レンズ着脱ロック機構部２８０は、交換レンズ２００Ａがカメラボディ１００Ａに装着された状態において、レンズ制御部２３０の制御によってロックピン２８１を係合穴１８０に係合させることにより（交換レンズ２００Ａのカメラボディ側マウント部１０１に対する回転ができないようにロックする（回転が不可能になる）ことにより）、たとえレンズ着脱釦１７３が操作されたとしても、交換レンズ２００Ａが装着されている状態（交換レンズ２００Ａの装着状態）を保持する。
【００８５】
続いて、レンズ着脱釦１７３が押下された場合に、露光処理（撮影処理）を優先させる処理を行う制御（第３の制御）と、縮筒動作を優先させる処理を行う制御（第４の制御）とのそれぞれについて説明する。
【００８６】
（レンズ着脱釦１７３が押下された場合に、露光処理（撮影処理）を優先させる場合の処理の例）
まず、レンズ着脱釦１７３が押下された場合に、露光処理（撮影処理）を優先させる処理を行う制御（第３の制御）の例について説明する。
カメラ制御部１３０は、記録のための露光処理を含む撮影処理中の期間にレンズ着脱釦１７３が操作されたことを検出した場合に、交換レンズ２００Ａの装着状態を保持する保持状態の解除を抑止するとともに、縮筒動作の処理の実行開始を保留して記録のための露光処理を継続させる制御（第３の制御）を実行する。
【００８７】
なお、上述の第３の制御において、カメラ制御部１３０は、保持状態の解除を抑止したことを示す情報、および縮筒動作の処理の実行開始を保留したことを示す情報のうち少なくとも一方を制御情報として報知してもよい。
また、上述の第３の制御において、カメラ制御部１３０は、記録のための露光処理が完了した後に、保留していた縮筒動作の処理を実行開始させるとともに、縮筒動作の処理が完了した後に、保持状態を解除してもよい。
【００８８】
図６は、レンズ着脱釦１７３が押下された場合に、露光処理（撮影処理）を優先させる場合の処理の例を示すフローチャートである。以下、図６が示すフローチャートを用いて、露光処理（撮影処理）を優先させる場合の処理の例を具体的に説明する。
【００８９】
カメラ制御部１３０は、レンズ着脱釦１７３が押下されたか否か（縮筒動作のトリガ入力があるか否か）を検出する（ステップＳ４１）。ステップＳ４１において、レンズ着脱釦１７３が押下されたことが検出されない場合、カメラ制御部１３０は、レンズ着脱釦１７３が押下されたか否かを検出するステップＳ４１の処理を繰り返して実行する。一方、ステップＳ４１において、レンズ着脱釦１７３が押下されたことが検出された場合、カメラ制御部１３０は、記録するための撮影処理中であるか否かを判定する（ステップＳ４２）。
【００９０】
ステップＳ４２において、撮影処理中でないと判定された場合、カメラ制御部１３０は、レンズ鏡筒２１０の縮筒動作の実行開始を示す制御指令をレンズ制御部２３０に送信する（ステップＳ４７）。一方、ステップＳ４２において、撮影処理中であると判定された場合、次に、カメラ制御部１３０は、露光処理が完了しているか否かを判定する（ステップＳ４３）。
【００９１】
ステップＳ４３において、露光処理が完了していると判定された場合、カメラ制御部１３０は、レンズ鏡筒２１０の縮筒動作の実行開始を示す制御指令をレンズ制御部２３０に送信する（ステップＳ４７）。
【００９２】
一方、ステップＳ４３において、露光処理が完了していないと判定された場合、カメラ制御部１３０は、レンズ鏡筒２１０の縮筒動作の実行開始を示す制御指令をレンズ制御部２３０に送信する処理を保留する（ステップＳ４４）。なお、ステップＳ４３において、露光処理が完了していないと判定された場合、カメラ制御部１３０は、レンズ鏡筒２１０の縮筒動作の実行開始を保留する制御指令を、レンズ制御部２３０に送信する制御としてもよい。これにより、レンズ制御部２３０は、鏡筒駆動部２２０に対する縮筒動作の処理の実行開始を保留する。
【００９３】
次に、カメラ制御部１３０は、交換レンズ２００Ａの装着状態が保持されている保持状態をレンズ着脱釦１７３により解除できないように抑止するための制御指令（装着状態をロックする制御指令）をレンズ制御部２３０に送信する（ステップＳ４５）。レンズ制御部２３０は、この制御指令を受信することに応じて、レンズ着脱ロック機構部２８０の着脱ロック駆動部２８３を制御することにより、ロックピン２８１を突出位置に移動させる（装着状態をロックする／装着状態が保持されている保持状態を解除できないようにする）。
【００９４】
続いて、カメラ制御部１３０は、交換レンズ２００Ａの装着状態をロックしたことを示す情報と、レンズ鏡筒２１０の縮筒動作の実行開始を保留したことを示す情報（縮筒動作保留中を示す情報）とを、報知部１１０を介して報知する（ステップＳ４６）。例えば、カメラ制御部１３０は、表示部１１１に「レンズ装着状態をロック、縮筒動作を保留中」等の文字情報を表示させて、撮影処理が優先されて縮筒動作が保留中であることを報知する。
【００９５】
次に、カメラ制御部１３０は、ステップＳ４３の露光処理が完了しているか否かを判定する処理に戻し、ステップＳ４３において露光処理が完了していると判定されるまでの間、ステップＳ４３からＳ４６の処理を繰り返し実行する。ステップＳ４３において、露光処理が完了していると判定された場合、カメラ制御部１３０は、保留していたレンズ鏡筒２１０の縮筒動作の実行開始を示す制御指令をレンズ制御部２３０に送信する（ステップＳ４７）。
【００９６】
ステップＳ４７においてカメラ制御部１３０から送信された縮筒動作の実行開始を示す制御指令を、レンズ制御部２３０は受信する。レンズ制御部２３０は、受信した制御指令に応じて、鏡筒駆動部２２０に対してレンズ鏡筒２１０Ａの縮筒動作を実行させる制御をする。そして、レンズ制御部２３０は、エンコーダ２２３から受信する位置情報を示す信号に基づいて、レンズ鏡筒２１０Ａの縮筒動作が完了したことを検出する。レンズ制御部２３０は、レンズ鏡筒２１０Ａの縮筒動作が完了したことを検出した場合、縮筒動作が完了したことを示す情報をカメラ制御部１３０に送信する。カメラ制御部１３０は、レンズ制御部２３０から縮筒動作が完了したことを示す情報を受信する（ステップＳ４８）。
【００９７】
次に、カメラ制御部１３０は、交換レンズ２００Ａの装着状態がロックされているか否か（ステップＳ４５の処理がされているか否か）を判定する（ステップＳ４９）。ステップＳ４９において、交換レンズ２００Ａの装着状態がロックされていないと判定された場合、カメラ制御部１３０は、処理を終了する。
【００９８】
一方、ステップＳ４９において、交換レンズ２００Ａの装着状態がロックされていると判定された場合、カメラ制御部１３０は、装着状態のロックを解除する（ステップＳ５０）。例えば、カメラ制御部１３０は、装着状態のロックを解除するための制御指令をレンズ制御部２３０に送信する。レンズ制御部２３０は、この制御指令を受信することに応じて、レンズ着脱ロック機構部２８０の着脱ロック駆動部２８３を制御することにより、ロックピン２８１を退避位置に移動させる（装着状態のロックを解除する／装着状態が保持されている保持状態を解除可能なようにする）。
【００９９】
続いて、カメラ制御部１３０は、装着状態のロックを解除したことを示す情報、または縮筒動作が完了したことを示す情報を、報知部１１０を介して報知して（ステップＳ５１）処理を終了する。例えば、カメラ制御部１３０は、表示部１１１に「レンズ装着状態のロックを解除、縮筒完了」等の文字情報を表示させて、交換レンズ２００Ａの取外しが可能であることを報知する。
【０１００】
このように、カメラ制御部１３０は、記録のための露光処理を含む撮影処理中の期間にレンズ着脱釦１７３が操作された場合に、交換レンズ２００Ａが取外されることを抑止するとともに縮筒動作の処理の実行開始を保留して、露光処理を継続して撮影処理を優先させることができる。よって、撮影処理中に、交換レンズ２００Ａが取外されること、または交換レンズ２００Ａのレンズ鏡筒２１０Ａの縮筒動作が開始されることを防止することができる。
また、カメラ制御部１３０は、この撮影処理を優先させることを示す制御情報（保持状態の解除を抑止したことを示す情報、または縮筒動作の処理の実行開始を保留したことを示す情報）をユーザに報知することができる。
また、カメラ制御部１３０は、露光処理が完了した後に、保留していた縮筒動作の処理を実行開始させるとともに、縮筒動作の処理が完了した後に、交換レンズ２００Ａの取外しを可能にすることができる。
【０１０１】
（レンズ着脱釦１７３が押下された場合に、縮筒動作を優先させる場合の処理の例）
次に、レンズ着脱釦１７３が押下された場合に、縮筒動作を優先させる処理を行う制御（第４の制御）の例について説明する。
【０１０２】
カメラ制御部１３０は、記録のための露光処理を含む撮影処理中の期間にレンズ着脱釦１７３が操作されたことを検出した場合に、交換レンズ２００Ａの装着状態を保持する保持状態の解除を抑止するとともに、記録のための露光処理を当該処理が完了したか否かにかかわらず終了させる制御（第４の制御）を実行する。
【０１０３】
なお、上述の第４の制御において、カメラ制御部１３０は、保持状態の解除を抑止したことを示す情報、および露光処理を終了したことを示す情報のうち少なくとも一方を制御情報として報知してもよい。
また、上述の第４の制御において、カメラ制御部１３０は、保持状態の解除を抑止した後に、縮筒動作の処理を実行開始させるとともに、縮筒動作の処理が完了した後に、保持状態を解除してもよい。
【０１０４】
図７は、レンズ着脱釦１７３が押下された場合に、縮筒動作を優先させる場合の処理を示すフローチャートである。以下、図７が示すフローチャートを用いて、縮筒動作を優先させる場合の処理の例を具体的に説明する。なお、図７のステップＳ６１、Ｓ６２の処理は、図６のステップＳ４１、Ｓ４２の処理と同様の処理であり、その説明を省略する。また、図７のステップＳ６７からＳ７１の処理は、図６のステップＳ４７からＳ５１の処理と同様の処理であり、その説明を省略する。
【０１０５】
ステップＳ６２において、撮影処理中でないと判定された場合、カメラ制御部１３０は、レンズ鏡筒２１０の縮筒動作の実行開始を示す制御指令をレンズ制御部２３０に送信する（ステップＳ６７）。一方、ステップＳ６２において、撮影処理中であると判定された場合、次に、カメラ制御部１３０は、交換レンズ２００Ａの装着状態をロックする制御指令をレンズ制御部２３０に送信する（ステップＳ６４）。レンズ制御部２３０は、この制御指令を受信することに応じて、レンズ着脱ロック機構部２８０の着脱ロック駆動部２８３を制御することにより、ロックピン２８１を突出位置に移動させる（装着状態をロックする／装着状態が保持されている保持状態を解除できないようにする）。
【０１０６】
次に、カメラ制御部１３０は、露光処理が完了したか否かにかかわらず撮影処理を終了（強制終了）させる（ステップＳ６４）。
なお、カメラ制御部１３０は、ステップＳ６４の処理において露光処理が完了したか否かを判定する処理を行ってもよい。例えば、カメラ制御部１３０は、露光処理が完了していると判定した場合、当該露光処理により取得した露光データから画像データを生成させて記録する処理を実行してから（撮影処理が完了してから）撮影処理を終了させてもよい。一方、カメラ制御部１３０は、露光処理が完了していないと判定した場合、露光処理を中断して撮影処理を終了（強制終了）させてもよい。
【０１０７】
続いて、カメラ制御部１３０は、交換レンズ２００Ａの装着状態をロックしたことを示す情報と、撮影処理を終了（強制終了）させたことを示す情報とを、報知部１１０を介して報知する（ステップＳ６５）。例えば、カメラ制御部１３０は、表示部１１１に「レンズ装着状態をロック、撮影処理を強制終了」等の文字情報を表示させて、縮筒動作が優先されて撮影処理が終了されたことを報知する。
【０１０８】
次に、カメラ制御部１３０は、ステップＳ６７に処理を進め、レンズ鏡筒２１０の縮筒動作の実行開始を示す制御指令をレンズ制御部２３０に送信する。
ステップＳ６７以降の処理は、図６のステップＳ４７以降の処理と同様の処理である。
【０１０９】
このように、カメラ制御部１３０は、記録のための露光処理を含む撮影処理中の期間にレンズ着脱釦１７３が操作された場合に、交換レンズ２００Ａが取外されることを抑止した状態にしてから、記録のための露光処理（撮影処理）を当該処理が完了したか否かにかかわらず終了（強制終了）させて、縮筒動作を優先させることができる。
また、カメラ制御部１３０は、この撮影処理を強制終了させることを示す情報（保持状態の解除を抑止したことを示す情報、または露光処理を終了させたことを示す情報）をユーザに報知することができる。
また、カメラ制御部１３０は、交換レンズ２００Ａが取外されることを抑止した状態において、撮影処理を強制終了させて、且つ縮筒動作の処理が完了した後に、交換レンズ２００Ａの取外しを可能にすることができる。よって、撮影処理中の期間にレンズ着脱釦１７３が操作された場合に、レンズ鏡筒２１０Ａの縮筒動作中に交換レンズ２００Ａが取外されてしまうことを防止できる。
【０１１０】
なお、カメラ制御部１３０は、上述の第３の制御および第４の制御のうち、設定された何れかの制御を実行する。例えば、カメラ制御部１３０は、第３の制御および第４の制御のうち、撮像装置１Ａにおいて予め設定されている何れかの制御を実行する。なお、撮像装置１Ａにおいて、第３の制御および第４の制御のうち予め設定されている何れかの制御は、第３の制御および第４の制御のうちの何れかの一方の制御に設定されていてもよいし、撮影処理の種類（静止画撮影処理、動画撮影処理等）に対応して、第３の制御および第４の制御のうちの何れかの制御に設定されていてもよい。
【０１１１】
また、カメラ制御部１３０は、上述の第３の制御および第４の制御のうち、ユーザにより選択された何れかの制御を実行してもよい。例えば、撮像装置１Ａは、第３の制御または第４の制御を選択可能な選択画面（設定メニュー）を、撮像装置１Ａの各種設定が可能な設定モードのひとつとして表示部に表示し、ユーザの操作に応じて選択された制御に設定するようにしてもよい。また、撮像装置１Ａは、この選択画面（設定メニュー）を、撮影処理中の期間にレンズ着脱釦１７３が押下された際に、交換レンズ２００Ａの保持状態の解除を抑止してから表示部に表示し、ユーザの操作に応じて選択された制御に設定するようにしてもよい。
【０１１２】
このように、ユーザにより選択可能な構成とした場合、カメラ制御部１３０は、ユーザの都合に合わせて、第３の制御および第４の制御のうちユーザにより選択された何れかの制御を実行することができる。さらに、カメラ制御部１３０は、第３の制御および第４の制御のうち何れの制御を実行するかをユーザに報知することができる。
【０１１３】
なお、カメラ制御部１３０は、静止画撮影処理の場合、上述の第３の制御を実行し、動画撮影処理の場合、第３の制御および第４の制御のうちの何れかの制御を実行するようにしてもよい。つまり、カメラ制御部１３０は、静止画撮影処理の場合、動画撮影処理に比較して撮影処理中となる時間が短いことが多いため、撮影処理を優先させる第３制御を実行してもよい。一方、カメラ制御部１３０は、静止画撮影処理に比較して撮影処理中となる時間が長いことが多い（比較して、レンズ着脱釦１７３が押下される（縮筒動作のトリガが入力される）機会が頻繁にあると想定される）動画撮影処理の場合、第３の制御および第４の制御のうち、選択された（例えば、ユーザに選択された）何れかの制御を実行してもよい。
これにより、カメラ制御部１３０は、撮影処理の種類に応じて、第３の制御および第４の制御のうち適した制御を実行することができる。
【０１１４】
以上のように、本実施形態における撮像装置１（１Ａ）は、記録のための露光処理を含む撮影処理中の期間に、レンズ鏡筒２１０（２１０Ａ）の縮筒動作の開始のトリガが入力された場合、露光処理（撮影処理）および縮筒動作のうちの何れの制御を優先させるかを示す制御情報をユーザに報知することができる。
【０１１５】
なお、上記第１実施形態における撮像装置１は、記録のための露光処理を含む撮影処理中の期間に、レンズ鏡筒２１０の縮筒動作を指示する操作として縮筒釦２４１が押下された場合、露光処理（撮影処理）および縮筒動作のうちの何れの制御を優先させるかを示す制御情報をユーザに報知する。これにより、撮像装置１は、撮影処理中に縮筒釦２４１が押下された場合に、露光処理（撮影処理）および縮筒動作のうちの何れの制御を優先させるかを示す制御情報をユーザに報知することができる。
【０１１６】
また、撮像装置１は、記録のための露光処理を含む撮影処理中の期間に縮筒釦２４１が操作されたことを検出した場合に、縮筒動作の処理の実行開始を保留して、当該処理を保留したことを示す情報を制御情報として報知する。また、撮像装置１は、記録のための露光処理が完了した後に、保留していた縮筒動作の処理を鏡筒駆動部２２０に実行開始する。つまり、撮像装置１は、記録のための露光処理を含む撮影処理中の期間に縮筒釦２４１が操作された場合に、当該処理中の撮影処理を完了するまで（露光処理が完了するまで）継続し、その後レンズの縮筒動作を実行開始する。
これにより、撮像装置１は、撮影処理を中断することなく完了することができるとともに、撮影処理が完了した後に、あらためてユーザからの操作を必要とせずに縮筒動作を実行することができる。
【０１１７】
また、撮像装置１は、記録のための露光処理を含む撮影処理中の期間に縮筒釦２４１が操作された場合に、記録のための露光処理を当該処理が完了したか否かにかかわらず終了して、当該処理を終了したことを示す情報を制御情報として報知するとともに、縮筒動作の処理を実行開始する。つまり、撮像装置１は、記録のための露光処理を含む撮影処理中の期間に縮筒釦２４１が操作されたことを検出した場合に、露光処理（撮影処理）を強制終了して、縮筒動作の処理を速やかに実行開始することができる。
【０１１８】
また、上記第２実施形態における撮像装置１Ａは、記録のための露光処理を含む撮影処理中の期間に、レンズ鏡筒２１０の縮筒動作を指示する操作としてレンズ着脱釦１７３が操作された場合、露光処理（撮影処理）および縮筒動作のうちの何れの制御を優先させるかを示す制御情報をユーザに報知する。これにより、撮像装置１Ａは、撮影処理中にレンズ着脱釦１７３が操作された場合に、露光処理（撮影処理）および縮筒動作のうちの何れの制御を優先させるかを示す制御情報をユーザに報知することができる。
【０１１９】
また、撮像装置１Ａは、記録のための露光処理を含む撮影処理中の期間にレンズ着脱釦１７３が操作された場合に、交換レンズ２００Ａの装着状態を保持する保持状態の解除を抑止するとともに、縮筒動作の処理の実行開始を保留して記録のための露光処理を継続する。また、撮像装置１Ａは、露光処理が完了した後に、保留していた縮筒動作の処理を実行開始させるとともに、縮筒動作の処理が完了した後に、交換レンズ２００Ａの取外しを可能にする。これにより、撮影処理中に、交換レンズ２００Ａが取外されること、または交換レンズ２００Ａのレンズ鏡筒２１０Ａの縮筒動作が開始されることを防止することができる。
【０１２０】
また、撮像装置１Ａは、上述の縮筒動作の処理の実行開始を保留して撮影処理を優先させることを示す制御情報（保持状態の解除を抑止したことを示す情報、または縮筒動作の処理の実行開始を保留したことを示す情報）をユーザに報知する。これにより、撮像装置１Ａは、記録のための露光処理を含む撮影処理中の期間にレンズ着脱釦１７３が操作された場合に、縮筒動作の処理の実行開始を保留して記録のための露光処理を継続するとともに、縮筒動作の処理の実行開始を保留して撮影処理を優先させることを示す制御情報をユーザに報知することができる。
【０１２１】
また、撮像装置１Ａは、記録のための露光処理を含む撮影処理中の期間にレンズ着脱釦１７３が操作されたことを検出した場合に、交換レンズ２００Ａの装着状態を保持する保持状態の解除を抑止するとともに、記録のための露光処理を当該処理が完了したか否かにかかわらず終了する。また、撮像装置１Ａは、保持状態の解除を抑止した後に、縮筒動作の処理を実行開始するとともに、縮筒動作の処理が完了した後に、保持状態を解除する。これにより、撮影処理中の期間にレンズ着脱釦１７３が操作された場合に、レンズ鏡筒２１０Ａの縮筒動作中に交換レンズ２００Ａが取外されてしまうことを防止できる。よって、撮像装置１Ａは、レンズ鏡筒２１０Ａの縮筒動作が縮筒動作の途中で中断されてしまうことを防止できる。
【０１２２】
また、撮像装置１Ａは、上述の保持状態の解除を抑止したことを示す情報、および露光処理を終了したことを示す情報のうち少なくとも一方を制御情報として報知する。これにより、撮像装置１Ａは、記録のための露光処理を含む撮影処理中の期間にレンズ着脱釦１７３が操作された場合に、交換レンズ２００Ａの装着状態をロックして、記録のための露光処理を当該処理が完了したか否かにかかわらず終了するとともに、交換レンズ２００Ａの装着状態をロックしたことを示す情報、または撮影処理を強制終了したことを示す情報をユーザに報知することができる。
【０１２３】
また、撮像装置１（１Ａ）は、ユーザの操作に応じて露光処理（撮影処理）および縮筒動作のうちの何れの制御を優先させるかを選択可能な構成とした。
これにより、撮像装置１は、ユーザの都合に応じて制御の優先順位を任意に選択することができる。
【０１２４】
また、撮像装置１（１Ａ）は、撮影処理の種類に応じて、例えば静止画撮影処理の場合、露光処理（撮影処理）を優先し、動画撮影処理の場合、露光処理（撮影処理）および縮筒動作のうちの何れかの制御を実行する。これにより、撮像装置１（１Ａ）は、撮影処理の種類に応じて、露光処理（撮影処理）および縮筒動作のうち適した制御を実行することができる。
【０１２５】
なお、上記実施形態における報知部１１０は、交換レンズ２００（２００Ａ）に備えられていてもよい。例えば、報知部１１０は、交換レンズ２００（２００Ａ）に備えられ、レンズ制御部２３０により制御されてもよいし、カメラ制御部１３０の制御によりレンズ制御部２３０を介して制御されてもよい。また、報知部１１０は、カメラ制御部１３０とレンズ制御部２３０とにより協調制御されてもよい。
【０１２６】
なお、上記実施形態における報知部１１０は、表示部１１１および音出力部１１２を備えている構成としたが、表示部１１１および音出力部１１２のうちの何れか一方を備えている構成としてもよい。
【０１２７】
また、図２のレンズ着脱ロック機構部２８０は、交換レンズ２００Ａに備えられてレンズ制御部２３０により制御される構成としたが、カメラボディ１００に備えられカメラ制御部１３０により制御される構成としてもよい。
【０１２８】
また、図１の撮像装置１は、レンズ交換式の撮像装置に限られるものではなく、図１に示す交換レンズ２００とカメラボディ１００とが一体化された構成の撮像装置であってもよい。
【０１２９】
なお、図１、図５におけるカメラ制御部１３０またはレンズ制御部２３０は専用のハードウェアにより実現されるものであってもよく、また、メモリーおよびＣＰＵ（中央演算装置）により構成され、上述の各部の機能を実現するためのプログラムをメモリーにロードして実行することによりその機能を実現させるものであってもよい。
【０１３０】
また、図１、図５におけるカメラ制御部１３０またはレンズ制御部２３０の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【０１３１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１３２】
以上、この発明の実施形態を図面を参照して詳述してきたが、具体的な構成はこの実施形態に限られるものではなく、この発明の要旨を逸脱しない範囲の設計等も含まれる。
【符号の説明】
【０１３３】
１,１Ａ  撮像装置、１０２  撮像部、１００,１００Ａ  カメラボディ、１１０  報知部、１３０  カメラ制御部（制御部）、１７２  保持機構部、１７３、レンズ着脱釦（解除機構部）、２１０,２１０Ａ  レンズ鏡筒（鏡筒部）、２２０  鏡筒駆動部（駆動部）、２４１  縮筒釦（操作部）、２８０  レンズ着脱ロック機構部（抑止機構部）、２００,２００Ａ  交換レンズ
【図１】
2013120214.tif 000003
【図２】
2013120214.tif 000004
【図３】
2013120214.tif 000005
【図４】
2013120214.tif 000006
【図５】
2013120214.tif 000007
【図６】
2013120214.tif 000008
【図７】
2013120214.tif 000009